(57)【要約】      （修正有）【課題】乳房を丸くて滑らかに豊胸するブラカップにて着用者の快適さと正確なフィット感のあるブラカップ及びブラジャーで衣類の下のシルエットを提供する。【解決手段】ブラカップは付着された２つ以上の個別の部分を含み、次に外側に面する表面上が滑らかな外側表面を提供する連続的なフォームおよび布帛層で覆われる。第一の部分はネックラインの方の上方へ、および別の胸の方の内側へ胸を同時に押しつつ、第一の部分に着用者の胸を大事にかかえさせる、三角巾状の機構を作成する。第二の部分は、胸の上横の四分円に対応する位置に増加した厚さのエリアを含んでいる。第一の部分中の安定部材および第二の部分中のより厚い断面のエリアの組み合わせは、着用者の胸への完全な全体的な外観を作成するように協力する。連続的なフォーム層と積層された布帛層の追加は、ブラカップ中の第一および第二の部分と協力して、着用者の丸く滑らかなシルエットを作成する。【選択図】図１
2010043399.tif 000002
【特許請求の範囲】
【請求項１】
複数の部分を含み、該複数の部分の少なくとも２つの部分は複数の層を有し、該少なくとも２つの部分の各々の少なくとも第一の層は非フォーム材料であり、該少なくとも２つの部分の各々の少なくとも第二の層はフォーム材料であり、該少なくとも２つの部分の第一の部分中の複数の層の第一の組み合わせは、該少なくとも２つの部分の第二の部分中の複数の層の第二の組み合わせと異なっており、
前記の第一および第二の部分の各々が異なる支持および豊胸特性を有している、ブラカップ。
【請求項２】
滑らかな外側表面を提供するために、前記ブラカップの外側表面の複数の部分の各々の上に伸びる材料の連続的な層をさらに有する、請求項１記載のブラカップ。
【請求項３】
前記材料の連続的な層は前記複数の部分の各々の上にラミネートされる、請求項２記載のブラカップ。
【請求項４】
前記複数の部分の第一の部分は非フォームインサートを有し、該インサートは前記複数の部分の他の部分の材料より本質的に支持に優れた伸張特性を有する、請求項１記載のブラカップ。
【請求項５】
前記複数の部分は超音波接合によってともに連結される、請求項１記載のブラカップ。
【請求項６】
前記複数の部分の第一の部分はブラカップの着用者の胸の上部に対応し、該第一の部分の少なくとも１つの部分の厚さが、前記複数の部分の他の部分の厚さより大きい、請求項１記載のブラカップ。
【請求項７】
前記複数の部分は３つの部分である、請求項１記載のブラカップ。
【請求項８】
少なくとも１つのフォーム層および布帛層を含む第一の部分であって、該布帛層は該第一の部分の内側表面を画定する、第一の部分；
少なくとも１つのフォーム層および布帛層を含む第二の部分であって、該布帛層は該第二の部分の内側表面を画定する、第二の部分；および
該第一および該第二の部分の両方の外側表面上に伸びる連続的な布帛層を有し、該第一および該第二の部分は、互いに異なる支持および豊胸特性を有する、ブラカップ。
【請求項９】
該第一の部分は非フォーム層を有し、該非フォーム層は該第一および該第二の部分のフォームおよび布帛層より本質的に支持特性に優れた伸張特性を有する、請求項８記載のブラカップ。   
【請求項１０】
該第一および該第二の部分は超音波接合によってともに連結される、請求項８記載のブラカップ。
【請求項１１】
該第二の部分はブラカップの着用者の胸の上部に対応し、該第二の部分の少なくとも１つの部分の厚さが、該第一の部分の厚さより大きい、請求項１記載のブラカップ。
【請求項１２】
さらに第三部分を有し、該第三部分は少なくとも１つのフォーム層および布帛層を有し、該布帛層は該第三部分の内部表面を画定する、請求項１記載のブラカップ。
【請求項１３】
該第二および該第三部分は超音波接合により連結される、請求項１２記載のブラカップ。
【請求項１４】
該連続的な布帛層は該第三部分の外側表面上にさらに伸びる、請求項１２記載のブラカップ。
【請求項１５】
第一のフォーム部分；
該第一のフォーム部分に付着された第二のフォーム部分；および
該第二のフォーム部分に付着された第三フォーム部分を有し、
該第三フォーム部分はすべての方向において該第三フォーム部分の伸張程度を最小限にする材料層を含む、ブラカップ。
【請求項１６】
該第二の部分の少なくとも１つの部分が、ブラカップに丸みを与えるように適合される、増加した厚さのエリアを有している、請求項１５記載のブラカップ。
【請求項１７】
該第三部分の少なくとも１つの部分が、ブラカップに丸みを与えるように適合される、増加した厚さのエリアを有している、請求項１５記載のブラカップ。
【請求項１８】
該第一、第二、および第三部分の少なくとも１つの部分が、ブラカップに丸みを与えるように適合される、増加した厚さのエリアを有している、請求項１５記載のブラカップ。
【請求項１９】
該第二の部分は不均一な厚さを有する少なくとも１つの部分を有する、請求項１５記載のブラカップ。
【請求項２０】
該第三部分の伸張程度を最小限にする該第三部分中の材料の層が、着用者の胸を同時に内側と上向きの方向に押すように配置される、請求項１５記載のブラカップ。
【請求項２１】
滑らかな外側表面を提供するために該第一、第二、および第三の部分のそれぞれのブラカップ外側表面上に伸びる材料の連続的な層をさらに有する、請求項１５記載のブラカップ。
【請求項２２】
第一および第二のブラカップを有するブラジャーであって、該第一および第二のブラカップの少なくとも１つは請求項１記載のブラカップである、ブラジャー。
【請求項２３】
該第一および第二のブラカップのそれぞれに取り付けられた少なくとも１つのブラウイングをさらに有する、請求項２２記載のブラジャー。
【請求項２４】
該第一および第二のブラカップのそれぞれに取り付けられた少なくとも１つのブラストラップをさらに有する、請求項２３記載のブラジャー。
【発明の詳細な説明】
【技術分野】
【０００１】
相互参照される関連出願
本出願は、２００８年８月１４日に出願された米国仮出願６１／０８８，８９０と、２００８年８月２０日に出願された米国仮出願６１／１８９，５２６の利益を要求する。
【０００２】
本発明の技術分野
本発明は、支持と豊胸の組み合わせによって胸を形作るブラジャーに関する。より具体的には、本発明は、より好ましい外観のためにブラジャーの着用者の胸を支持し豊胸する、多層フォームブラカップを含むブラジャーに関する。
【０００３】
本発明の背景技術
女性の胸の自然な形は涙滴状であり、頂部のより狭い部分および基部の丸まった部分を有し、美学的に好ましいと考えられる形は球体により近く、頂部から胸の基部まで一貫して丸い物である。女性が年をとるとともに、胸は垂れ気味になり、胸の頂部に存在していたすべての丸さは無くなり、それはさらに涙滴状を強調する。この目的のために、異なるブラジャーは、胸の全体にわたる球形の見かけ形状を作成し、かつしたがって胸の自然な涙滴状の形を偽装するように製造された。１例では、ブラジャーのカップの底に充填物を入れて胸を挙げるために、それぞれのカップの底にパッドを入れてブラジャーを押し上げた。カップの頂部へ大多数の胸組織を集めることによって、胸の頂部をより丸く見せることができる。
【０００４】
胸を支えるためにブラジャーの底にパッドを入れて使用することに関する１つの問題は、胸がカップからはみ出るということである。これは滑らかな、丸い、シルエットを衣類の下に作らない。個人によって着用される衣類がブラジャーより大きいカットを有する場合、ブラカップは、着用者の衣類の下に見える胸にＶ字を作成する。
【０００５】
胸を上げるためにブラカップの底にパッドを入れて使用することに関する別の問題は、このような方法で胸を上げることが、必ずしもカップの頂部を満たして、円形を作成するとは限らないということである。カップの一番上に作成された形は、上げられている胸の個々の形に依存する。したがって、ブラジャーによって作成された丸さの形は着用者の胸に依存して変わる。
【０００６】
胸に一定の形を供給するための課題に関する試みでは、ブラジャーメーカーは成型したフォームカップを有するブラジャーを提案した。多くの用途においては好適であるが、成型されたフォームブラカップの主な短所のうちの１つは、一般に柔軟性がない成型されたフォームが着用者にそれほど正確でないフィット感を提供するということである。さらに、フォームが、着用者の涙滴形の胸に完全には一致しないので、着用者の快適さは時々犠牲にされる。従って、そのような成型されたフォームブラカップは、必ずしも着用者に自然な外観を供給するとは限らない。
【０００７】
発明の要約
したがって、胸の異なる領域に対して、異なるタイプで、異なる支持と豊胸の程度を提供するブラカップへの必要がある。先行技術ブラカップは、単一のブラカップの中で胸の異なるエリアへの支持および豊胸の有効な組み合わせを達成することに成功していない。本発明の好ましい実施態様は、多層の布帛とフォーム材料との異なる組み合わせを有する異なる部分を有するブラカップを提供することにより、胸の異なるエリアへの支持および豊胸の所望の組み合わせを達成する。
【０００８】
本発明のブラカップの好ましい実施態様は、着用者の快適さまたは正確なフィットを犠牲にすることなく、丸く、滑らかな、着用者の衣類の下のシルエットを作り出す。豊胸のための目標領域でカップにパッドを入れ、ブラカップは胸を挙げ、胸は丸い胸の形を作り出し、自然の涙滴状の形を修正する。したがって、カップのフィットは犠牲にされず、同時に胸の形が頂部で丸く見える。胸の形を向上する追加の材料にもかかわらず、本発明のブラカップは、柔軟に着用者の形に追従する。
【０００９】
本発明のブラカップの好ましい実施態様は、超音波で結合された２つ以上の別個の部分を含み、ついでそれらの外側に向いた表面が連続的なフォームと積層された布帛で覆われ、滑らかな外側表面を提供する。第一の部分は安定化部分を含み、これは第一の部分が着用者の胸を大事にかかえるつり下げ機構を作り、かつ同時に胸をネックラインの方へ上方へ押して、また別の胸の方へと内側に押す。第二の部分は、胸の四分円の側面上側に対応する位置（つまり腋の下の方へ対角線上に上方へ伸びる胸の部分）に増加した厚さのエリアを含んでいる。
【００１０】
胸の第一のセクションの作用は、ブラカップの第二のセクションに着用者の胸を近づかせ、一般に涙滴状の形の胸の最も絞られた部分が存在する場所である胸のトップを丸い外観にすることである。涙滴状の形の胸は一般に胸の四分円の側面上側に十分な胸組織がなく、第二の部分中のより厚い断面方向のエリアはこの領域を埋め、胸の上部を豊胸し、それにより胸のこの部分が一貫して丸くされた頂部に見えることを可能にする。
【００１１】
従って、第一の部分中の安定部材と第二の部分中のより厚い断面方向のエリアの組み合わせは、協力して着用者の胸に全体的に丸い外観を形成する。連続的なフォーム層および積層された布帛層の追加は、ブラカップ中の第一および第二の部分と協力して、着用者の衣類の下の丸い滑らかなシルエットを作成する。
【００１２】
第一および第二の部分はさらにブラカップにもっとカスタマイズされたフィットを提供するために異なる伸張特性を持つことができる。特に、第一および第二の部分の各々は、１または複数の方向において異なる程度の伸張度を持つことができる。着用者の胸がブラカップからはみ出さず、第一の部分が胸を上向き内部に押すことによるブラカップのラインを破綻させないように、着用者のＶ字に近い部分が大きな伸張程度を有することが好ましい。異なる伸張特性を有するブラカップの部分を提供することは、あるサイズ（つまり「Ｂ」サイズカップ）のブラカップ内の胸の異なる輪郭によりよく適合することを可能にし、ブラカップが着用者の胸に、より自然に快適に追従することをさらに可能にする。
【００１３】
さらに、フォーム層の相対的な厚さは着用者の乳首を隠すのを支援するために変更できる。例えば、ブラカップの一貫した外観を維持するために、第二の部分のフォーム層は、着用者の乳首の位置に対応する部分においてより厚くすることができる。
【００１４】
より小さな胸を持った女性は第一の部分が上方へ内側へ押すために十分な胸組織を持たないことがあるので、ブラカップのトップの部分の胸の所望の完全な形が作成されないことがある。従って、本発明によるブラカップの第二の好ましい実施態様では、ブラカップには、第一の部分中の増加した厚さの第二のエリアが提供され、並びに第二の部分中に増加した厚さのエリアが提供される。第一の部分中の増加した厚さの第二のエリアは、着用者の胸を押す第一の部分中のより多くの材料を提供することにより、より小さなサイズの胸を豊胸する際の助けとなる。
【図面の簡単な説明】
【００１５】
図は例示目的だけで、縮尺通りではない。しかしながら、本発明は添付の図面と共に以下の詳細な記載への言及によって最も理解される：
【００１６】
【図１】図１は、着用者の胴に関してしっかりと取り付けられた本発明のブラカップを有するブラジャーの第一の実施態様の透視図である；
【００１７】
【図２】図２は、図１の中で示されるブラカップの内部の表面の平面図である；
【００１８】
【図３】図３は、図１の３−３線に沿ったブラカップの拡大した横断面図である；
【００１９】
【図４】図４は、図１の３−３線に沿ったブラカップの横断面図である；
【００２０】
【図５】図５は、本発明のブラカップの第二の実施態様の横断面図である。
【００２１】
本発明は、図を参照して以下に例証される。そのような図は、制限ではなく例示であることが意図され、本発明の実施態様の例示的な特徴の説明を容易にするために含まれている。特記のない限り、図は縮尺通りではなく、設計図として役立つようには意図されない。
【００２２】
図面を参照する。類似する数字は類似する要素を示す。本発明の原理に従って構成されたブラカップを含むブラジャーの第一の実施態様は、ブラカップ２として図１−４中に示される。図１は、着用者の胴のまわりでしっかりと取り付けられたブラジャー１を示す。ブラジャー１のブラカップ２は第一の部分１０、第二の部分２０および第三の部分３０を含む。本発明の好ましい実施態様は３つの部分を持っているとして表されるが、本発明のブラカップは、任意のサイズおよび形の胸の支持および豊胸の所望の組み合わせを達成するために３よりも多く、または３未満の部分を使用して形成できる。ブラジャー１は、着用者の胴のまわりにブラジャーをしっかりと取り付けるのを支援するためにショルダーストラップとウイングを含んでいるものとして示される。本発明のブラカップ２は、たとえばストラップレス、リアホック、フロントホックのような様々なブラジャーの構成とすることができることは当業者には明らかであろう。
【００２３】
図２は、図１に示された単一のブラカップ２の内部の表面の図である。第一の部分１０はブラカップ２の最下の部分で、着用者の胸の下側に並置される。第一の部分１０は、ブラカップ２の下側の端全体に沿って好ましくは伸び、胸の真下で着用者の胴に対して置かれ、かつそれに支持を提供するように設計されているフランジ４０を好ましくは含んでいる。より大きな胸の女性のために形成された本発明のブラカップのある実施態様では、フランジ４０は胸の追加的支援のためにアンダーワイヤ（示されない）を組込む。
【００２４】
図２の３−３線に沿った横断面の拡大図である図３に示されるように、ブラカップ２の第一の部分１０はともに連結された材料の多数の層を有する。図３の中で示されるような本発明の好ましい実施態様では、第一の部分１０は、それに取り付けられた布帛１１を有する第一のフォーム層１２、第二のフォーム層１３、安定層１４および第三のフォーム層１５を有する。第一の部分１０の様々な層は、熱により活性化される樹脂または接着剤を使用して、互いに好ましくは積層される。本発明のブラカップの中で使用されるフォーム材料は、好ましくはポリエステルであるが、たとえばファイバーフィルフォームおよびメモリフォームであるがこれらに限定されるものではない、を含み、ブラジャー構造にふさわしい他のフォームであることができる。
【００２５】
安定材料１４は、第一の部分１０に堅さを与える材料で構成され、第一の部分１０の全幅および全高さに渡って広がる。安定材料１４は、好ましくはメッシュ、安定化されたトリコット、ポリウレタンのような柔軟性がないフィルム、ゴムまたはラテックス、マイクロファイバー織物、高密度フォーム、たとえばポリエーテルまたはポリエステル、ピンドット織物、熱可塑性プラスチックフィルムおよびメッシュまたは織物の接着剤から選択される。安定材料に選ばれる具体的な材料は、たとえばブラジャーの全体的なサイズ、並びに設計された具体的なブラカップサイズに必要な支持の程度により変化する。より詳細に以下に説明されるように、安定材料１４は、ブラカップの他の部分よりも多くの着用者の胸への支持を提供し、それによって、着用者の胸を大事にかかえるつり下げ機構を作り、かつ同時に胸をネックラインの方へ上方へ押して、また別の胸の方へ内側に押す。ブラジャーの他の部分と第一の部分１０との相互作用は、より詳しく以下に記載される。
【００２６】
図２に戻る。ブラカップ２の第二の部分２０は、連結端１６に沿って第一の部分１０に付けられる。第二の部分２０は着用者の乳首に対応するブラカップ２の部分にわたるように好ましくは形成される。第二の部分２０はオプションのブラジャーストラップ（図１の中で示される）が付けられるプラットフォーム５０を含むように好ましくは形作られる。ブラジャーがストラップレスである場合には、第二の部分がプラットフォームなしで形作られることは、当業者には明らかである。
【００２７】
ブラカップ２の第二の部分２０は、さらにともに連結された材料の多数の層を有する。本発明の好ましい実施態様では、図３に示されるように、第二の部分２０は第一のフォーム層２２、それに付着される布帛２１、および第二のフォーム層２３を含んでいる。第二の部分２０の様々な層は、第一の層１０の層と同様にして、好ましくは熱により活性化される樹脂または接着剤を使用して互いに積層される。
【００２８】
図２の中で点線によって示されるように、第二の部分２０のフォーム層のうちの１つはより厚い断面領域２４を有する（図３を参照）。図３の中で示される本発明の好ましい実施態様では、より厚い断面領域２４がフォーム層２２中に提供される。フォーム層２３中にも、より厚い断面領域を提供することができる。より厚い断面領域２４は、好ましくは第二の部分２０中に配置され、胸の上横方向（つまり脇の下の方へ対角線上に上方へ伸びる胸の部分）に併置される。より厚い断面領域２４の領域は好ましくは、ブラカップの外側表面上ではなくブラカップの凹面の内部の表面に凸面の形を作成するために形成される（図４を参照）。図１−４で示される実施態様では、より厚い断面領域２４の部分はプラットフォーム５０に近い方にある。
【００２９】
より厚い断面２４のエリアは、好ましくはフォーム層２２または２３のどちらかと一体に作られる。例えば、より厚い断面２４のエリアは、好ましくはフォームの生産パラメータ、たとえば温度、圧力およびドウェル時間の調節により、フォーム層２２または２３の残りの部分よりも厚い断面のエリアを形成することにより、フォーム層の中に形成される。図３はフォーム層２２と一体に作られたより厚い断面２４のエリアを示しているが、より厚い断面のエリアは、たとえばフォーム、プラスチック、液体または空気で充填された小さなパウチのような別個の片をフォーム層２２と２３の間に配置することにより提供することもできることに留意すべきである。ブラカップ２の他の構成要素とより厚い断面２４のエリアの相互作用は、より非常に詳しく以下に記載される。
【００３０】
図２に戻る。ブラカップ２の第三の部分３０は、連結する端１８に沿って第二の部分２０に取り付けられる。第三の部分３０は好ましくは、着用者の胸の谷間に近い方に位置する。図１および２の中で示される好ましい実施態様においては、第三の部分３０はさらにフランジ４０の一部を形成する。
【００３１】
ブラカップ２の第三部分３０は、さらにともに連結された材料の多数の層を含む。本発明の好ましい実施態様においては、図３中に示されるように、第三部分３０は第一のフォーム層３２と、それに付着する布帛３１を含んでいる。好ましくは第三部分３０の様々な層も、第一層１０および第二層２０の層で使用されるものと同様に、熱により活性化される樹脂または接着剤を使用して、互いにラミネートされる。
【００３２】
１０、２０および３０の３つの部分は、好ましくはラミネートにより、それらに付着される布帛３４を有するフォーム３３の連続的な層によって覆われる。このフォーム３３および付着された布帛３４の連続的な層は、ブラカップ２に全体の滑らかな外観を提供し、それは着用者の衣類の下のきれいなラインを作る。このフォーム３３および付着された布帛３４の連続的な層は、第一、第二、および第三部分、１０、２０および３０をそれぞれの場所に有することにより、ブラカップ２に構造的一体性完全性を提供する。
【００３３】
本発明のブラカップ２を製造する好ましい方法は以下に記載される。好ましくは、第一の部分１０のフォーム１２および布帛１１、第二の部分２０のフォーム２２および布帛２１、第三の部分３０のフォーム３２および布帛３１は、所望の形に切断され、それぞれの連結端１６および１８に沿って超音波で互いに堅く結びつけられる。超音波圧接は、着用者の皮膚に対して快適な感触を提供するために、ブラカップ２の内部に沿って、連結端１６および１８で滑らかな継ぎ目を作成する。しかしながら、これらのそれぞれの部分は、裁縫、接着、または他のブラジャー製造に関する技術分野において公知の方法により連結することができる。第一、第二、および第三部分、１０、２０、３０の各々の具体的な形は、それぞれの部分がともに連結された時のブラジャーの全体の形およびサイズを決定する。
【００３４】
次に、第一の部分１０、つまり第二のフォーム層１３、安定材料１４、および第三のフォーム層１５は、それぞれ熱により活性化される樹脂を使用して、好ましくは積層により、一緒に連結される。同様に、第二のフォーム層２３は、好ましくは熱により活性化される樹脂を使用して、第二の部分２０のフォーム２２と布帛２１に連結される。図３の中で示される実施態様では、第三部分３０は、第一のフォーム層３２および布帛３１以外に追加の層を有していない。
【００３５】
第一、第二、および第三の部分１０、２０、３０とは別に、フォーム層３３とそれに付着する布帛３４の連続層が形成される。その後、フォーム層３３と布帛３４の連続層は、結合された第一、第二、および第三の部分１０、２０、３０と、好ましくは積層により、一緒に連結され、図４の断面図で示されるようなフランジ４０を含むブラカップ２を形成する。先に示されたように、フォーム３３と布帛３４の連続層は、第一、第二、および第三の部分の間の１０、２０、３０の結合縫い目を強化し、ブラカップ２に一般的な安定性を提供し、ブラカップ２の外側の滑らかな審美的な外観を提供し、それにより着用者の衣類の下のきれいなラインを作る。その後、ブラカップ２は、図１の中で示されるようなブラジャー１に組み入れられる。
【００３６】
かくして本発明のブラカップ２を有する組み立てられたブラジャー１は、着用者の胴の周囲に置かれる。第一の部分１０の安定材料１４は、ネックラインに向けて上方へ、および他の胸に向けて内側へ同時に押しつつ、第一の部分１０に着用者の胸を大事にかかえさせる、三角巾状の機構を作成する。胸の上の第一の部分１０の作用は、ブラカップ２の第二および第三の部分２０、３０の方向に着用者の胸を近づかせ、一般に涙滴形状である胸の最も絞られた部分である胸のトップ胸のトップに丸い外観を提供する。涙滴形状の胸は一般に、胸の上側方の四分円（つまり脇の下の方へ対角線上に上方へ伸びる胸の部分）に多くの量の胸組織を持っていない。第二の部分２０中のより厚い断面領域の２４が、胸の上方部分を豊胸するためにこの領域に入れられる。それによりこの部分が一貫して丸いトップに見えることを可能にする。図２の中で示されるように、より厚い断面２４のエリアは涙形を有する。しかしながら、より厚い断面２４のエリアは、他の形でありえ、たとえば丸、楕円形、または他の所望の形であることができる。より厚い断面２４のエリアの目的についての上記の記載から当業者には明らかなように、それらの形は、ブラカップによって形作られる胸の特性に依存する。
【００３７】
従って、第一の部分中の安定部材１４と第二の部分２０中のより厚い断面２４のエリアとの組み合わせは、着用者の胸の丸い全面体外観を作成するように協力する。連続的なフォーム層３３および付属の布帛層３４の追加は、ブラカップ中の第一、第二、および第三の部分１０、２０、３０と協力して、着用者の衣類の下の丸く滑らかなシルエットを作成する。
【００３８】
本発明の好ましい実施態様において、第一、第二、および第三の部分１０、２０、３０を含む層は、ブラカップによりカスタマイズされた適合性を供給するために異なる伸張特性を持っている。特に、第一、第二、および第三の部分１０、２０、３０の各々は、１つまたは多数の方向について異なる程度の伸びを有することができる。例えば、図１−４に示される実施態様では、第一の部分１０は安定部材１４の存在のために最小の伸張程度を有し、それは１０の部分全体を比較的非弾力性にする；第二の部分２０は、第一の部分１０よりかなり大きな伸張程度を有する；また、第三部分３０は、第一の部分１０および第二の部分２０より大きな伸張程度を有する。第三部分３０が最も大きな伸張程度を有し、第一の部分１０が胸を上向き内側に押すことにより着用者の胸がブラカップから飛び出したり、ブラカップのラインを壊さないようにすることが好ましい。第一、第二、および第三の部分１０、２０、３０が異なる伸張特性を有することにより、ブラカップ２はあるサイズの胸カップ（つまり「Ｂ」サイズカップ）内の胸のさらに異なる輪郭に適合することができ、またブラカップ２は着用者の胸に、より自然に快適に追従する。
【００３９】
本明細書に記載された好ましい実施態様において、第一、第二、および第三の部分１０、２０、３０のそれぞれにおける材料の層の数は変化することができ、それぞれの部分における実際の層の数は、さらに特定の胸のサイズおよび形に対して構成されるブラカップの具体的な要求に基づいて変化する。例えば、着用者に、より大きな胸の外観を供給するために、より多くのフォーム層をより小さなサイズの胸カップに使用することは望ましいことがある。従って図１−４に示された本発明の好ましい実施態様の中で示される材料の層の数は、単に例示に過ぎず、本発明の利点を達成するために当業者によって使用されることがある層の他の組み合わせを除外するものではない。
【００４０】
さらに、フォーム層の相対的な厚さは着用者の乳首を隠すのを支援するために変更できる。例えば、ブラカップ２の一貫した外観を維持するために、第二の部分２０のフォーム層は、着用者の乳首の位置に対応する部分においてより厚くすることができる。これは、上記の第二の部分２０中の増加した厚さ２４のエリアを提供するのと同じ方法で達成できる。
【００４１】
図５を参照する。これは本発明によるブラカップ２００の第二の実施態様の横断面図を示す。図１−４の第一の実施態様と同様、第二の実施態様は第一、第二、および第三の部分１０、２０、３０を有する。第二の実施態様のブラカップ２００では、第二の部分２０中の増加した厚さ２４のエリアに加えて、増加した厚さ２０１の第二のエリアが第一の部分１０にも提供される。
【００４２】
より小さな胸を持った女性にとって、所望の丸い外観を作成するために上方および内側へ押し進めるのに十分な胸組織がないので、第一の部分１０は、ブラカップ２００のトップの部分で胸の所望の完全な形を作成するのには十分ではないことがある。したがって、第一の部分１０中の増加した厚さ２０１の第二のエリアの使用は、より小さなサイズの胸を豊胸することを助ける。第一の部分１０中の増加した厚さ２０１の第二のエリアは、上記の第二の部分２０中の増加した厚さ２４のエリアと同様に形成することができる。
【００４３】
本発明は特定の実施態様に関して記載されられたが、他の多くの変化および修正が当業者には明白である。例えば、胸のサイズおよび形によって、本発明のブラカップは、ここに記載された本発明の好ましい実施態様の中で使用したより多くの、またはより少ない部分を使用して形成できる。そのため、本明細書に記載されたブラカップの好ましい実施態様の詳細な説明に基づいて、異なるサポートおよび豊胸特性が、層の数、層のために選択された特定の材料、部分の特定の形、部分の数等を変えることにより達成されることとは当業者には明らかである。したがって、本発明は、明細書の具体的な開示によって制限されるべきではなく、請求項によってのみ制限される。
【図１】
2010043399.tif 000003
【図２】
2010043399.tif 000004
【図３】
2010043399.tif 000005
【図４】
2010043399.tif 000006
【図５】
2010043399.tif 000007